(57)【要約】【課題】  視覚障害者が、複写機を使用する際、元原稿のセットミス、選択ミスを発見することのできる複写装置を提供する。【解決手段】  原稿を光学操作して画像を読み取る画像読み取り手段と、読み取った画像を保存する画像保存手段、画像保存手段に保存された画像情報を文字コード情報に変換するデータ変換手段、変換された情報を保存する変換情報保存手段、該変換情報保存手段に保存された情報を音声データに変更する手段、該音声データを出力する音声出力手段、音声出力を行う範囲を予め登録する手段、該登録された範囲を判断して、該音声データから該範囲を抽出する手段、抽出した音声データのみを出力する音声出力手段を有することを特徴とする。【選択図】        図１
2006163288.tif 000002
【特許請求の範囲】
【請求項１】
原稿を光学操作して画像を読み取る画像読み取り手段と、読み取った画像を保存する画像保存手段、画像保存手段に保存された画像情報を文字コード情報に変換するデータ変換手段、変換された情報を保存する変換情報保存手段、該変換情報保存手段に保存された情報を音声データに変更する手段、該音声データを出力する音声出力手段、音声出力を行う範囲を予め登録する手段、該登録された範囲を判断して、該音声データから該範囲を抽出する手段、抽出した音声データのみを出力する音声出力手段を有することを特徴とする複写装置。
【請求項２】
請求項１に記載の複写装置において、音声出力手段により音声出力した後に、保存された画像情報を描画出力するか否かを選択できる描画選択手段、選択された画像のみを出力する指示画像出力手段を有することを特徴とする複写装置。
【請求項３】
請求項１または２に記載の複写装置において、音声出力を行う範囲として、オブジェクトの種類、フォント種類、オブジェクトの位置、アプリケーション特有のオブジェクト、キーワード等の複数の範囲を登録できる範囲登録手段を有することを特徴とする複写装置。
【発明の詳細な説明】
【技術分野】
【０００１】
本発明は、原稿を読み取り、画像形成出力を行うと同時に、原稿内容を音声出力する複写装置に関するものである。
【背景技術】
【０００２】
従来から、原稿を読み取り、該原稿を音声出力する装置は、アメディア社のヨーメール等すでに開発されている。
【特許文献１】特開平５−３２３９９５号公報
【発明の開示】
【発明が解決しようとする課題】
【０００３】
昨今、視覚障害をもったユーザが複写機を使用する機会が増えている。しかしながら、視覚に障害をもったユーザは、複写しようとする原稿が、ユーザの意図した原稿か否かを判別することが困難であり、意図しない原稿を複写してしまい資源と時間を無駄にしてしまうケースもある。従って、本発明は、複写しようとする及び複写している原稿がユーザの意図したものであるか否かを理解させることができる複写装置を提供することを目的とするものである。
【課題を解決するための手段】
【０００４】
上記課題を解決するために、本発明に係る複写装置は、原稿を光学操作して画像を読み取る画像読み取り手段、読み取った画像を保存する画像保存手段、画像保存手段に保存された画像情報を文字コード情報に変換するデータ変換手段、変換された情報を保存する変換情報保存手段、該変換情報保存手段に保存された情報を音声データに変更する手段、該音声データを出力する音声出力手段、音声出力を行う範囲を予め登録する手段、該登録された範囲を判断して、該音声データから該範囲を抽出する手段、抽出した音声データのみを出力する音声出力手段を有する。
【発明の効果】
【０００５】
本発明を利用すれば、複写装置を使用する視覚障害者（特に全盲の障害者）は、原稿を複写装置で出力する前に該原稿の各ページが正しいものか否かを音声で確認することが可能になり、また確認後、意図しない原稿だった場合も、読み込んだデータを削除することが可能となる。昨今、活発になっているアクセシビリティに対しても有効な手段、仕様を手提供でき、また視覚障害をもった方が、無駄な画像出力を行ってしまうことを防止することが可能となる。
【発明を実施するための最良の形態】
【０００６】
図１は、本発明に係る画像形成装置の外観を示す図である。画像入力デバイスであるスキャナ１０１は、原稿となる紙上の画像を照明し、ＣＣＤラインセンサ（図示せず）を走査することによって、ラスターイメージデータを生成する。
【０００７】
使用者が、原稿用紙を原稿フィーダ１０４のトレイ１０３にセットして、操作部１０２において読み取りの起動を指示すると、画像形成装置のコントローラＣＰＵがスキャナ１０１に指示を与え、フィーダ１０３は原稿用紙を１枚ずつフィードし、スキャナ１０１は原稿画像の読み取り動作を行う。
【０００８】
画像出力デバイスであるプリンタ１１０は、ラスターイメージデータを用紙上の印刷する部分である。その方式は感光体ドラムや感光体ベルトを用いた電子写真方式、微少ノズルアレイからインクを吐出して用紙上に直接画像を印字するインクジェット方式等があるが、どの方式でも構わない。なお、プリント動作は、コントローラＣＰＵからの指示によって起動される。
【０００９】
プリンタ１１０は、異なる用紙サイズまたは異なる用紙向きを選択できるように複数の給紙段を持ち、それに対応した用紙カセット１１１、１１２、１１３がある。また、排紙トレイ１１４は、印字し終わった用紙を受けるものである。
【００１０】
また、排紙装置１２０は、印刷し終わった用紙をプリンタ１１０の排紙トレイ１１４ではなく、排紙装置内に給紙し、排紙トレイ１２１，１２２，１２３のいずれかで印刷された用紙を受けるものである。主に、複数部数の印刷を行った際に、使用される。さらに、図中１２４は、ステープルやパンチなど、印刷し終わった用紙に付加価値を与える部分である。
【００１１】
例えば、操作部１０２でステープルの指示がされると、印刷し終わった用紙は、排紙装置１２０に送られ、ステープル部１２４でステープルされ、排紙トレイ１１１，１２２，１２３のいずれかに排紙される。
【００１２】
また、図示はしていないが、音声出力部は、操作部１０２、スキャナ部１０１のどこにあっても構わないが、本実施例では操作部１０２に音声出力部が装備されているものとして説明する。
【００１３】
図２は、画像形成装置の制御構成を示すブロック図である。画像形成装置２００は、画像入力デバイスであるスキャナ１０１や画像出力デバイスであるプリンタ１１０と接続し、一方ではＬＡＮや公衆回線（ＷＡＮ）と接続することで、画像情報やデバイス情報の入出力を行うコントローラである。
【００１４】
ＣＰＵ２０１は、システム全体を制御するコントローラである。ＲＡＭ２０２は、ＣＰＵ２０１が動作するために使用するシステムワークメモリである。また、ＲＡＭ２０２は、画像データを一時記憶するための画像メモリでもある。ＲＯＭ２０３は、ブートＲＯＭであり、システムのブートプログラムが格納されている。ＨＤＤ２０４は、ハードディスクドライブで、システムソフトウェア、画像データを格納する。
【００１５】
操作部Ｉ／Ｆ２０６は、操作部（ＵＩ）１１２との間のインターフェースを司り、操作部１１２に表示する画像データを操作部１１２に対して出力する。また、使用者が操作部１１２を介して入力した情報を、ＣＰＵ２０１に伝える役割を果たす。
【００１６】
ネットワーク（Ｎｅｔｗｏｒｋ）２０８は、ＬＡＮ１００との接続を司り、ＬＡＮ１００に対して情報の入出力を行う。モデム（ＭＯＤＥＭ）２０９は、公衆回線との接続を司り、公衆回線に対して情報の入出力を行う。以上のデバイスがシステムバス２０７上に配置される。
【００１７】
イメージバスインターフェース（Ｉｍａｇｅ  Ｂｕｓ  Ｉ／Ｆ）２０５は、システムバス２０７と画像データを高速で転送する画像バス２１０とを接続し、データ構造を変換するバスブリッジである。画像バス２１０は、ＰＣＩバスまたはＩＥＥＥ１３９４で構成される。
【００１８】
画像バス２１０には以下のデバイスが配置される。ラスターイメージプロセッサ（ＲＩＰ）２１１は、ネットワークから送信されたＰＤＬコードをビットマップイメージに展開する。デバイスＩ／Ｆ部２１２は、画像入出力デバイスであるスキャナ２０１やプリンタ１０３と制御ユニット１１１とを接続し、画像データの同期系／非同期系の変換を行う。
【００１９】
スキャナ画像処理部２１３は、入力画像データに対し補正、加工、編集を行う。プリンタ画像処理部２１４は、プリント出力画像データに対して、プリンタの補正、解像度変換等を行う。画像回転部２１５は画像データの回転を行う。画像圧縮部２１６は、多値画像データに対してはＪＰＥＧ圧縮新調処理を行い、２値画像画像データに対してはＪＢＩＧ、ＭＭＲ、ＭＨの圧縮伸張処理を行う。
【００２０】
音声合成部２１７は、スキャナ画像処理部２１３において、読み込まれたデータから音声合成処理を行う。音声出力部１０３は、音声号税部が作成した音声データを出力する。また、本実施例の場合、該出力部は操作部１０２に装備されている例を示している。
【００２１】
図３は、本発明の画像形成装置の機能構成を示す図である。
【００２２】
原稿２０１のデータは、原稿読み取り部３０１で読み込まれて、データ記憶部３０２に記憶される。文字コード変換部３０３は、データ記憶部３０２に記憶されたイメージデータを文字コードに変換する。文字コード保存部３０４は、文字コード変換部３０３によって作成された文字コードデータをページ毎に保存する。
【００２３】
一方、読上げ範囲の指示３１４は、読上げ範囲指示部３０５で解釈され、読上げ範囲登録部３０６に登録される。読上げ範囲抽出部３０７は、読上げ範囲登録部に登録された範囲分の文字コードデータを文字コード保存部３０４から抽出する。
音声データ変換部３０８は、読上げ範囲抽出部３０７で抽出された文字コードデータを音声データに変換する。次に該音声データは音声合成部３０９にて、音声合成され、音声出力部３１０によって、音声出力される。
画像処理部３１１は、データ記憶部３０２に記憶されたイメージデータを画像出力部３１２が処理できるデータに変換する。画像出力部３１２は画像処理部３１１からのデータを出力する。
【００２４】
同期処理部３１３は、画像出力部３１２と音声出力部３０９の出力タイミングの同期をとる。
【００２５】
図４は、本発明を説明する為の読上げ原稿の例である。
【００２６】
４０１は原稿のヘッダー部、４０２は原稿のフッター部、４０３は原稿のページ表示部、４０４、４０５は原稿のボディ部、４０６，４０７は原稿のボディ部とは異なる書式で表示された特殊データ部を示す。
【００２７】
図５は、本発明に係る装置の読上げモードを示す一例である。
【００２８】
読上げモード１は、ヘッダーのみにチェックされている。つまり、本モードでは、図４のヘッダー部４０１のみを読上げる。
【００２９】
読上げモード２は、ページのみにチェックされている。つまり本モードでは、図４のページ番号部４０３のみを読上げる。
【００３０】
読上げモード３は、フッターのみにチェックされている。つまり本モードでは、図４のフッター部４０２のみを読上げる。
【００３１】
読上げモード４は、全文にチェックされている。つまり本モードでは、４０１〜４０７全てを読上げる。
【００３２】
読上げモード５は、数行のみにチェックされている。つまり本モードでは、図４のボディ部４０４または４０５の本文中、数行を読上げる。読上げ行数を指定する構成にすることも可能である。
【００３３】
読上げモード６は、特徴のみにチェックされている。つまり本モードでは、図４の特殊データ部４０６，４０７のみを読上げる。例えば、ボディとは異なるフォントサイズやフォント種類がある場合に、その文字を読上げる。
【００３４】
読上げモード７は、ヘッダーとページにチェックされている。つまり本モードでは、図４のヘッダー部４０１とページ番号部４０３を読上げる。
【００３５】
読上げモード８は、ヘッダーとフッターにチェックされている。つまり本モードでは、図４のヘッダー部４０１とフッター部４０２を読上げる。
【００３６】
読上げモード９は、ヘッダーと数行にチェックされている。つまり本モードでは、図４のヘッダー部４０１とボディ部４０４，４０５の本文中数行を読上げる。
【００３７】
読上げモード１０は、ヘッダーと特徴にチェックされている。つまり本モードでは、図４のヘッダー部４０１と特殊データ部４０６，４０７のみを読上げる。
【００３８】
読上げモード１１は、ヘッダーとページとフッターにチェックされている。つまり本モードでは、図４のヘッダー部４０１とフッター４０２，ページ番号４０３を読上げる。
【００３９】
読上げモード１２は、ヘッダーとページと数行にチェックされている。つまり本モードでは、図４のヘッダー部４０１とページ番号４０３とボディ部４０４，４０５の本文中数行を読上げる。
【００４０】
読上げモード１３は、ヘッダーとページと特徴にチェックされている。つまり本モードでは、図４のヘッダー部４０１とページ番号４０３と特殊データ部４０６，４０７のみを読上げる。
【００４１】
読上げモード１４は、ヘッダーとページとフッターと数行にチェックされている。つまり本モードでは、図４のヘッダー部４０１とフッター４０２とページ番号４０３とボディ部４０４，４０５の本文中数行を読上げる。
【００４２】
読上げモード１５は、ヘッダーとページとフッターと特徴にチェックされている。つまり本モードでは、図４のヘッダー部４０１とフッター４０２とページ番号４０３と特殊データ部４０６，４０７を読上げる。
【００４３】
図６は読上げモード８の例であり、読み取りデータの中で、ヘッダー６０１とフッター６０２のみが音声データに変換される。
【００４４】
図７は読上げモード５の例であり、読み取りデータの中で、ボディ部７０１のみが音声データに変換される。
【００４５】
図８は読上げモード６の例であり、読み取りデータの中で、特殊データ８０１と８０２のみが音声データに変換される。
【００４６】
図９は読上げモード４の例であり、読み取りデータ全ての項目９０１，９０２，９０３，９０４，９０５，９０６、９０７が音声データに変換される。
【実施例１】
【００４７】
図１０は、本発明に関する読上げモードの指定処理を説明するフローチャートである。
【００４８】
ステップ１００１において、読上げ処理の指定があったか否かを判断する。もしなければ、このまま処理を終了する。指示がある場合、ステップ１００２において読上げモードを選択する。次にステップ１００３にて該読上げモードを登録して本処理を終了する。
【００４９】
図１１は、本発明に関する原稿読み取りから音声出力、画像出力を説明するフローチャートである。
【００５０】
ステップ１１００において、原稿の読み取り処理を実行する。次にステップ１１０１において、読み取り処理によって読み取られた読み取りデータを保存する。
【００５１】
ステップ１１０２において、読上げモードが指定されているか否かを判断する。読上げモードが指定されていない場合、ステップ１１０８において、通常の画像描画処理を行い、ステップ１１０９において、画像出力処理を行う。
【００５２】
ステップ１１０２において、読上げモードが指定されている場合、ステップ１１０３において、読上げ範囲が指定されているか否かを判断する。指定されている場合、ステップ１１０４において、指定された範囲のみ文字コード変換を行う。次にステップ１１０５において、文字コードを一次保存する。次にステップ１１０６において、文字コードを音声データに変換する。
【００５３】
ステップ１１０３において、範囲指定がない場合、ステップ１１１０において、全データを文字コードに変換し、ステップ１１０５に移行する。
【００５４】
ステップ１１０７においては、ステップ１１０６において音声変換されたデータを音声として出力する。また、音声出力のタイミングに関しては、画像出力と同期させる必要がある。
【００５５】
ステップ１１０１で保存された読み取りデータは、ステップ１１１１の画像描画処理を経て、ステップ１１１２で画像出力処理が行われる。
【００５６】
ステップ１１０７とステップ１１１２は同期処理ステップ１１１３によって、同期がとられ、音声と出力画像が一致するように出力される。
【実施例２】
【００５７】
音声出力で原稿の確認を行った後、画像出力するか否かを選択することも可能です。
【００５８】
図１２のフローチャートを用いて説明を行う。
【００５９】
ステップ１２００において、原稿の読み取り処理を実行する。次にステップ１１０１において、読み取り処理によって読み取られた読み取りデータを保存する。
ステップ１２０２において、読上げモードが指定されているか否かを判断する。読上げモードが指定されていない場合、ステップ１２０８において、通常の画像描画処理を行い、ステップ１２０９において、画像出力処理を行う。
【００６０】
ステップ１２０２において、読上げモードが指定されている場合、ステップ１２０３において、読上げ範囲が指定されているか否かを判断する。指定されている場合、ステップ１２０４において、指定された範囲のみ文字コード変換を行う。次にステップ１２０５において、文字コードを一次保存する。次にステップ１２０６において、文字コードを音声データに変換する。ステップ１２０３において、範囲指定がない場合、ステップ１２１０において、全データを文字コードに変換し、ステップ１２０５に移行する。
【００６１】
ステップ１２０６において、音声変換されたデータは、ステップ１２１３において、１ページ分の指定範囲のみを音声出力する。
【００６２】
ステップ１２０７において、ユーザからの印刷指示を待つ。
一方、ステップ１２０１で保存された読み取りデータは、ステップ１２１１の画像描画処理にて、印刷用データに変換され、ステップ１２１２へ移行する。
【００６３】
ステップ１２１２では、ステップ１２０７でユーザが選択した指示に応じた画像出力処理を行う。例えば、ステップ１２０７において、ユーザが印刷を指示した場合、１ページ分の画像出力処理を実行する。また、ユーザが削除を指定した場合は、１ページ分の画像データを削除する。
【００６４】
ステップ１２１５において、印刷データがまだあるか否かを判断する。もし、ない場合は、本処理を抜ける。まだ、データがある場合は、ステップ１２１４に移行して、次に待っている音声データと描画データのページを一致させる。その後ステップ１２１３へ移行する。
【００６５】
つまり、ユーザは、１ページ毎に該ページの情報を音声情報として入手し、該ページがユーザの意図した原稿であるかどうかを確認しながら印刷または削除を行うことが出来る。
【図面の簡単な説明】
【００６６】
【図１】装置の概観を示す図である。
【図２】装置の制御構成を示すブロック図ある。
【図３】装置の機能構成を示す図である。
【図４】本発明を説明する為の、原稿の一例を示す図である。
【図５】本発明を説明する為の、読上げモードの例を示した図である。
【図６】本発明を説明する為の、原稿上にあるオブジェクトの原稿読み込み例を示す図である。
【図７】本発明を説明する為の、原稿上にあるオブジェクトの原稿読み込み例を示す図である。
【図８】本発明を説明する為の、原稿上にあるオブジェクトの原稿読み込み例を示す図である。
【図９】本発明を説明する為の、原稿上にあるオブジェクトの原稿読み込み例を示す図である。
【図１０】本発明を説明するフローチャートである。
【図１１】本発明を説明するフローチャートである。
【図１２】本発明を説明するフローチャートである。
【符号の説明】
【００６７】
１０１  スキャナ
１０２  操作部
１０３  トレイ
１０４  原稿フィーダ
１１０  プリンタ
１１１、１１２、１１３  用紙カセット
１１４  排紙トレイ
１２０  排紙装置
１２１、１２２、１２３  排紙トレイ
１２４  ステープル部
【図１】
2006163288.tif 000003
【図２】
2006163288.tif 000004
【図３】
2006163288.tif 000005
【図４】
2006163288.tif 000006
【図５】
2006163288.tif 000007
【図６】
2006163288.tif 000008
【図７】
2006163288.tif 000009
【図８】
2006163288.tif 000010
【図９】
2006163288.tif 000011
【図１０】
2006163288.tif 000012
【図１１】
2006163288.tif 000013
【図１２】
2006163288.tif 000014